【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
所定の表示手段と、
所定のランプと、
遊技の進行を制御する主制御手段と、
演出を制御する副制御手段と
を備え、
前記主制御手段は、
抽選を行う抽選手段と、
演出グループ情報を導出するための演出グループ情報生成テーブルを記憶した記憶手段と
を備え、
前記抽選手段により決定され得る抽選結果として、第１抽選結果と第２抽選結果とを有し、
第１抽選結果が決定された遊技では、ストップスイッチが第１の操作態様で操作された場合に遊技者にとって有利となる図柄組合せを停止表示可能であり、
第２抽選結果が決定された遊技では、ストップスイッチが第２の操作態様で操作された場合に遊技者にとって有利となる図柄組合せを停止表示可能であり、
遊技区間として、通常区間と有利区間とを有し、
通常区間において第１抽選結果が決定された遊技では、前記演出グループ情報生成テーブルから演出グループ情報を導出可能とし、導出した演出グループ情報を前記副制御手段へ送信可能に構成されており、
通常区間において第２抽選結果が決定された遊技では、前記演出グループ情報生成テーブルから演出グループ情報を導出可能とし、導出した演出グループ情報を前記副制御手段へ送信可能に構成されており、
第１抽選結果が決定された遊技で導出される演出グループ情報と第２抽選結果が決定された遊技で導出される演出グループ情報は、同一の情報であり、
通常区間において第１抽選結果が決定された遊技では、前記所定の表示手段によってストップスイッチの有利な操作態様を報知せず、
有利区間において第１抽選結果が決定された遊技では、前記所定の表示手段によってストップスイッチの有利な操作態様を報知する場合を有し、
特別遊技状態の開始条件を満たした場合は、特別遊技状態を開始するように構成され、
前記所定のランプの点灯により有利区間であることを報知可能に構成され、
有利区間における遊技の実行回数が所定回数となる遊技が実行されると、有利区間が終了するように構成され、
有利区間における遊技の実行回数が所定回数となる遊技が特別遊技状態で実行され、その遊技で特別遊技状態の終了条件を満たさなかった場合は、次の遊技は、通常区間であり、特別遊技状態であるように構成される
ことを特徴とする回胴式遊技機。
【手続補正２】
【補正対象書類名】明細書
【補正対象項目名】０００６
【補正方法】変更
【補正の内容】
【０００６】
本態様に係る回胴式遊技機は、
複数のリールと、
複数のストップスイッチと、
所定の表示手段と、
所定のランプと、
遊技の進行を制御する主制御手段と、
演出を制御する副制御手段と
を備え、
前記主制御手段は、
抽選を行う抽選手段と、
演出グループ情報を導出するための演出グループ情報生成テーブルを記憶した記憶手段と
を備え、
前記抽選手段により決定され得る抽選結果として、第１抽選結果と第２抽選結果とを有し、
第１抽選結果が決定された遊技では、ストップスイッチが第１の操作態様で操作された場合に遊技者にとって有利となる図柄組合せを停止表示可能であり、
第２抽選結果が決定された遊技では、ストップスイッチが第２の操作態様で操作された場合に遊技者にとって有利となる図柄組合せを停止表示可能であり、
遊技区間として、通常区間と有利区間とを有し、
通常区間において第１抽選結果が決定された遊技では、前記演出グループ情報生成テーブルから演出グループ情報を導出可能とし、導出した演出グループ情報を前記副制御手段へ送信可能に構成されており、
通常区間において第２抽選結果が決定された遊技では、前記演出グループ情報生成テーブルから演出グループ情報を導出可能とし、導出した演出グループ情報を前記副制御手段へ送信可能に構成されており、
第１抽選結果が決定された遊技で導出される演出グループ情報と第２抽選結果が決定された遊技で導出される演出グループ情報は、同一の情報であり、
通常区間において第１抽選結果が決定された遊技では、前記所定の表示手段によってストップスイッチの有利な操作態様を報知せず、
有利区間において第１抽選結果が決定された遊技では、前記所定の表示手段によってストップスイッチの有利な操作態様を報知する場合を有し、
特別遊技状態の開始条件を満たした場合は、特別遊技状態を開始するように構成され、
前記所定のランプの点灯により有利区間であることを報知可能に構成され、
有利区間における遊技の実行回数が所定回数となる遊技が実行されると、有利区間が終了するように構成され、
有利区間における遊技の実行回数が所定回数となる遊技が特別遊技状態で実行され、その遊技で特別遊技状態の終了条件を満たさなかった場合は、次の遊技は、通常区間であり、特別遊技状態であるように構成される
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
複数のリールと、
複数のストップスイッチと、
情報を表示可能な主情報表示部と、
情報を表示可能な副情報表示部と、
遊技の進行を制御する主制御手段と、
演出を制御する副制御手段と
を備え、
主制御手段は、
役抽選を行う役抽選手段と、
主情報表示部の表示を制御する主情報表示制御手段と
を備え、
報知状態に制御されている状況下において、少なくとも所定役が当選した遊技で、ストップスイッチの操作態様を特定可能な情報を主情報表示部に表示し得るよう構成されており、
副制御手段は、
前記所定役が当選した遊技で、ストップスイッチの操作態様を特定可能な情報を副情報表示部に表示する操作態様報知制御を実行可能であり、
前記操作態様報知制御を実行する際に、第１の表示態様にてストップスイッチの操作態様を特定可能な情報を表示する場合と、前記第１の表示態様とは表示態様が異なる第２の表示態様にてストップスイッチの操作態様を特定可能な情報を表示する場合と、を有しており、
前記第１の表示態様にてストップスイッチの操作態様を特定可能な情報を表示する場合よりも、前記第２の表示態様にてストップスイッチの操作態様を特定可能な情報を表示する場合の方が、遊技者に特典が付与される期待度が高くなるよう構成されており、
前記報知状態の継続期間に係る残り期間が所定期間未満となる前の状況下よりも前記報知状態の継続期間に係る残り期間が所定期間未満となった状況下の方が、前記操作態様報知制御を実行するときに前記第２の表示態様にてストップスイッチの操作態様を特定可能な情報を表示する場合が低まるよう構成されている
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
複数のリール（例えば、リールＭ５０）と、
複数のストップスイッチ（例えば、停止ボタンＤ４０）と、
情報を表示可能な主情報表示部（例えば、押し順表示装置Ｄ２７０）と、
情報を表示可能な副情報表示部（例えば、演出表示装置Ｓ４０）と、
遊技の進行を制御する主遊技部（例えば、主制御基板Ｍ）と、
主遊技部と接続された副遊技部（例えば、副制御基板Ｓ）と
を備え、
主遊技部（例えば、主制御基板Ｍ）は、
役抽選を行う役抽選手段と、
主情報表示部（例えば、押し順表示装置Ｄ２７０）の表示を制御する主情報表示制御手段と
を備え、
所定の条件を満たすことにより、報知状態に制御可能であり、
前記報知状態に制御されている状況下において、少なくとも役抽選手段により所定役が当選した遊技で、前記所定役に対応するストップスイッチ（例えば、停止ボタンＤ４０）の操作態様を特定可能な情報を主情報表示部（例えば、押し順表示装置Ｄ２７０）に表示し得るよう構成されており、
副遊技部（例えば、副制御基板Ｓ）は、
副情報表示部（例えば、演出表示装置Ｓ４０）の表示を制御する副情報表示制御手段を備え、
前記所定役が当選した遊技で、前記所定役に対応するストップスイッチ（例えば、停止ボタンＤ４０）の操作態様を特定可能な情報を副情報表示部（例えば、演出表示装置Ｓ４０）に表示する操作態様報知制御を実行可能であり、
前記操作態様報知制御を実行する際に、第１の表示態様にて前記所定役に対応するストップスイッチ（例えば、停止ボタンＤ４０）の操作態様を特定可能な情報を表示する場合と、前記第１の表示態様とは表示態様が異なる第２の表示態様にて前記所定役に対応するストップスイッチ（例えば、停止ボタンＤ４０）の操作態様を特定可能な情報を表示する場合と、を有しており、
前記第１の表示態様にて前記所定役に対応するストップスイッチ（例えば、停止ボタンＤ４０）の操作態様を特定可能な情報を表示する場合よりも、前記第２の表示態様にて前記所定役に対応するストップスイッチ（例えば、停止ボタンＤ４０）の操作態様を特定可能な情報を表示する場合の方が、遊技者に特典が付与される期待度が高くなるよう構成されており、
特定の条件を満たしている場合において前記操作態様報知制御を実行するときには、前記第１の表示態様にて前記所定役に対応するストップスイッチ（例えば、停止ボタンＤ４０）の操作態様を特定可能な情報を表示する場合を有するが、前記第２の表示態様にて前記所定役に対応するストップスイッチ（例えば、停止ボタンＤ４０）の操作態様を特定可能な情報を表示する場合を有しないよう構成されている
ことを特徴とする回胴式遊技機である。